(57)【要約】      （修正有）【課題】印刷データと共にマークを印刷する際に、単位印刷領域におけるマークの印刷位置を容易に変更できるプリンタードライバーを提供する。【解決手段】プリンタードライバーはロール紙プリンター１２に接続されたコンピューター１３をプリンタードライバー動作部２８として機能させる。プリンタードライバー動作部は、単位印刷領域Ｄ内のアイマークの座標情報の入力を受け付ける設定入力部３５と、座標情報に基づいて印刷データとアイマークを印刷するアイマーク印刷データを合成した合成印刷データを生成する合成印刷データ生成部３６と、合成印刷データをロール紙プリンターに送信する送信部３４と、を有する。合成印刷データは長尺状のラベル用紙に繰り返し設定された各単位印刷領域に値札とアイマークとを印刷するものである。アイマークは単位印刷領域の座標情報で規定される位置に印刷される。【選択図】図２
2016184267.tif 000002
【特許請求の範囲】
【請求項１】
プリンターを駆動制御して印刷データを印刷する際に当該印刷データで設定された単位印刷領域毎に前記印刷データと共にマークを印刷するプリンタードライバーにおいて、
前記プリンターに接続されたコンピューターを、
前記単位印刷領域における前記マークの印刷位置を規定する印刷位置情報の入力を受け付ける入力部と、
前記印刷位置情報に基づいて、前記印刷データと前記マークを印刷するマーク印刷データとを合成した合成印刷データを生成する生成部と、
前記合成印刷データを前記プリンターに送信する送信部と、
に機能させることを特徴とするプリンタードライバー。
【請求項２】
請求項１において、
前記入力部は、前記印刷データ、前記マーク印刷データおよび前記印刷位置情報に基づいて、前記単位印刷領域に前記印刷データと共に前記マークを印刷した場合の印刷プレビュー画像を表示するプレビュー表示部を備えることを特徴とするプリンタードライバー。
【請求項３】
請求項１または２において、
前記コンピューターを、複数種類の前記マークのそれぞれに対応するマーク印刷データを記憶保持する記憶部に機能させ、
前記入力部は、複数種類の前記マークから１つの前記マークを選択するマーク選択情報の入力を受け付け、
前記生成部は、前記マーク選択情報により特定される前記マークを印刷する前記マーク印刷データと前記印刷データとを合成することを特徴とするプリンタードライバー。
【請求項４】
請求項１または２において、
前記入力部は、前記マークの色を指定する色指定情報の入力を受け付け、
前記生成部は、前記色指定情報および前記マーク印刷データに基づいて前記色指定情報により指定された色のマークを印刷する色指定マーク印刷データを生成して当該色指定マーク印刷データを前記マーク印刷データとする色指定マーク印刷データ生成部を備えることを特徴とするプリンタードライバー。
【請求項５】
プリンターを駆動制御して印刷データを印刷する際に当該印刷データで設定された単位印刷領域毎に前記印刷データと共にマークを印刷する印刷制御装置において、
前記単位印刷領域における前記マークの印刷位置を規定する印刷位置情報の入力を受け付ける入力部と、
前記印刷位置情報に基づいて、前記印刷データと前記マークを印刷するマーク印刷データとを合成した合成印刷データを生成する生成部と、
前記合成印刷データを前記プリンターに送信する送信部と、
を備えることを特徴とする印刷制御装置。
【請求項６】
請求項５において、
前記入力部は、前記印刷データ、前記マーク印刷データおよび前記印刷位置情報に基づいて、前記単位印刷領域に前記印刷データと共に前記マークを印刷した場合の印刷プレビュー画像を表示するプレビュー表示部を備えることを特徴とする印刷制御装置。
【請求項７】
プリンターを駆動制御して印刷データを印刷する際に当該印刷データで設定された単位印刷領域毎に前記印刷データと共にマークを印刷する印刷方法において、
前記単位印刷領域における前記マークの印刷位置を規定する印刷位置情報の入力を受け付け、
前記印刷位置情報に基づいて、前記印刷データと前記マークを印刷するマーク印刷データとを合成した合成印刷データを生成し、
前記合成印刷データを前記プリンターに送信することを特徴とする印刷方法。
【請求項８】
請求項７において、
前記印刷位置情報の入力を受け付けたときに、前記印刷データ、前記マーク印刷データおよび前記印刷位置情報に基づいて、前記単位印刷領域に前記印刷データと共に前記マークを印刷した場合の印刷プレビュー画像を表示することを特徴とする印刷方法。
【発明の詳細な説明】
【技術分野】
【０００１】
本発明は、プリンターを駆動制御して記録紙に印刷データを印刷するときに、印刷データと共にマークを印刷するプリンタードライバー、印刷制御装置、および、印刷方法に関する。
【背景技術】
【０００２】
ラベル用紙に一定間隔で画像を印刷する際に、画像とともに一定間隔でアイマークを印刷するプリンターは特許文献１に記載されている。アイマークは、ラベル用紙の印刷部分を金型で型抜きする後加工を行う際に、型抜き機が金型を位置決めする目印として用いられる。特許文献１では、外部の機器からプリンターに供給される印刷データにはアイマークを印刷するためのアイマーク印刷データは含まれておらず、プリンターがアイマーク印刷データを付加している。
【先行技術文献】
【特許文献】
【０００３】
【特許文献１】特開２０１４−１８８９５９号公報
【発明の概要】
【発明が解決しようとする課題】
【０００４】
ここで、ラベル用紙を型抜きする型抜き領域を変更したい場合には、金型の位置決め位置を移動させる必要がある。すなわち、各画像を印刷する印刷領域として印刷データで予め設定された単位印刷領域内でアイマークの印刷位置を移動させる必要がある。
【０００５】
本発明の課題は、このような点に鑑みて、印刷データと共にマークを印刷する際に、単位印刷領域におけるマークの印刷位置を容易に変更できるプリンタードライバー、印刷制御装置および印刷方法を提案することにある。
【課題を解決するための手段】
【０００６】
上記の課題を解決するために、本発明は、プリンターを駆動制御して印刷データを印刷する際に当該印刷データで設定された単位印刷領域毎に前記印刷データと共にマークを印刷するプリンタードライバーにおいて、前記プリンターに接続されたコンピューターを、前記単位印刷領域における前記マークの印刷位置を規定する印刷位置情報の入力を受け付ける入力部と、前記印刷位置情報に基づいて、前記印刷データと前記マークを印刷するマーク印刷データとを合成した合成印刷データを生成する生成部と、前記合成印刷データを前記プリンターに送信する送信部と、に機能させることを特徴とする。
【０００７】
本発明によれば、印刷データを印刷する際に、マークを単位印刷領域内の印刷位置情報で規定される位置に印刷できる。また、マークの印刷位置を変更する際に、印刷データには変更が加えられないので、印刷データを作り直す必要がない。従って、単位印刷領域におけるマークの印刷位置を容易に変更できる。
【０００８】
本発明において、前記入力部は、前記印刷データ、前記マーク印刷データおよび前記印刷位置情報に基づいて、前記単位印刷領域に前記印刷データと共に前記マークを印刷した場合の印刷プレビュー画像を表示するプレビュー表示部を備えることが望ましい。このようにすれば、単位印刷領域におけるマークの印刷位置の設定や変更が容易となる。
【０００９】
本発明において、前記コンピューターを、複数種類の前記マークのそれぞれに対応するマーク印刷データを記憶保持する記憶部に機能させ、前記入力部は、複数種類の前記マークから１つの前記マークを選択するマーク選択情報の入力を受け付け、前記生成部は、前記マーク選択情報により特定される前記マークを印刷する前記マーク印刷データと前記印刷データとを合成するものとすることができる。このようにすれば、複数種類のマークから選択したマークを印刷できる。従って、マークとして、単位印刷領域に印刷される画像に対して識別しやすい種類のものを印刷できる。
【００１０】
本発明において、前記入力部は、前記マークの色を指定する色指定情報の入力を受け付け、前記生成部は、前記色指定情報および前記マーク印刷データに基づいて前記色指定情報により指定された色のマークを印刷する色指定マーク印刷データを生成して当該色指定マーク印刷データを前記マーク印刷データとする色指定マーク印刷データ生成部を備えるものとすることができる。このようにすれば、マークの色を変更することが容易となる。従って、マークとして、単位印刷領域に印刷される画像に対して識別しやすい色のものを印刷できる
【００１１】
次に、本発明は、プリンターを駆動制御して印刷データを印刷する際に当該印刷データで設定された単位印刷領域毎に前記印刷データと共にマークを印刷する印刷制御装置において、前記単位印刷領域における前記マークの印刷位置を規定する印刷位置情報の入力を受け付ける入力部と、前記印刷位置情報に基づいて、前記印刷データと前記マークを印刷するマーク印刷データとを合成した合成印刷データを生成する生成部と、前記合成印刷データを前記プリンターに送信する送信部と、を備えることを特徴とする。
【００１２】
本発明によれば、印刷データを印刷する際に、マークを単位印刷領域内の印刷位置情報で規定される位置に印刷できる。また、マークの印刷位置を変更する際に、印刷データには変更が加えられないので、印刷データを作り直す必要がない。従って、単位印刷領域におけるマークの印刷位置を容易に変更できる。
【００１３】
本発明において、前記入力部は、前記印刷データ、前記マーク印刷データおよび前記印刷位置情報に基づいて、前記単位印刷領域に前記印刷データと共に前記マークを印刷した場合の印刷プレビュー画像を表示するプレビュー表示部を備えることが望ましい。このようにすれば、マークの印刷位置の設定や変更が容易である。
【００１４】
また、本発明は、プリンターを駆動制御して印刷データを印刷する際に当該印刷データで設定された単位印刷領域毎に前記印刷データと共にマークを印刷する印刷方法において、前記単位印刷領域における前記マークの印刷位置を規定する印刷位置情報の入力を受け付け、前記印刷位置情報に基づいて、前記印刷データと前記マークを印刷するマーク印刷データとを合成した合成印刷データを生成し、前記合成印刷データを前記プリンターに送信することを特徴とする。
【００１５】
本発明によれば、印刷データを印刷する際に、マークを単位印刷領域内の印刷位置情報で規定される位置に印刷できる。また、マークの印刷位置を変更する際に、印刷データには変更が加えられないので、印刷データを作り直す必要がない。従って、単位印刷領域におけるマークの印刷位置を容易に変更できる。
【００１６】
本発明において、前記印刷位置情報の入力を受け付けたときに、前記印刷データ、前記マーク印刷データおよび前記印刷位置情報に基づいて、前記単位印刷領域に前記印刷データと共に前記マークを印刷した場合の印刷プレビュー画像を表示することが望ましい。このようにすれば、マークの印刷位置の設定や変更が容易である。
【図面の簡単な説明】
【００１７】
【図１】印刷システムおよび印刷済みのラベル用紙の説明図である。
【図２】印刷システムの制御系の概略ブロック図である。
【図３】アイマークを設定するための設定入力画面の説明図である。
【図４】印刷設定動作のフローチャートである。
【発明を実施するための形態】
【００１８】
以下に、図面を参照して、本発明を適用した印刷システムを説明する。
【００１９】
（全体構成）
図１（ａ）は本発明を適用した印刷システムの説明図であり、図１（ｂ）は印刷システムにより印刷が施されたラベル用紙の説明図である。図１（ｂ）に示すように、本例の印刷システム１はロール紙２から繰り出される長尺状のラベル用紙３に一定間隔で値札５とアイマーク（マーク）６を印刷する。ラベル用紙３は長尺状の台紙７の表面に長尺状の記録紙８が剥離可能に貼り付けられたものである。値札５は店頭に陳列された商品に貼り付けるものであり、デザインが施されている。アイマーク６は、印刷が済んだラベル用紙３の印刷部分を金型で型抜きする後加工を行う際に、型抜き機が金型を位置決めする目印として用いられる。ラベル用紙３に型抜きが施されると、記録紙８における値札５の印刷部分は台紙７から剥離可能な値札シール１０となる。
【００２０】
図１（ａ）に示すように、印刷システム１は、ホスト装置１１と、ホスト装置１１と通信可能に接続されたロール紙プリンター１２を有する。ホスト装置１１は、コンピューター１３と、コンピューター１３に接続されたディスプレイ１４および入力装置１５を備える。入力装置１５はキーボード１６およびマウス１７である。コンピューター１３では、オペレーティングシステム２１と、値札５を印刷するためのアプリケーションデータを生成するアプリケーションソフトウエア２２と、ロール紙プリンター１２を駆動制御するプリンタードライバー２３が動作する。ロール紙プリンター１２は、印刷ヘッド２４としてインクジェットヘッドを搭載する。
【００２１】
（ホスト装置）
図２は印刷システムの制御系の概略ブロック図である。図３はアイマークを設定する設定入力画面の例である。図２に示すように、ホスト装置１１のコンピューター１３は、ＣＰＵ、ＲＯＭ、ＲＡＭを搭載する制御部２５を備える。制御部２５は、オペレーティングシステム２１の動作によりＯＳ動作部２６として機能する。また、制御部２５はアプリケーションソフトウエア２２の動作によりアプリケーション動作部２７として機能する。さらに、制御部２５は、プリンタードライバー２３の動作によりプリンタードライバー動作部２８として機能する。
【００２２】
アプリケーション動作部２７は、値札５を印刷するためのアプリケーションデータを生成して、プリンタードライバー２３に出力する。アプリケーションデータは、長尺状の記録紙８に対して繰り返し設定された各単位印刷領域Ｄに値札５を印刷するものである。
【００２３】
プリンタードライバー動作部２８は、ＯＳ動作部２６を介してアプリケーション動作部２７からアプリケーションデータを取得する。プリンタードライバー動作部２８は、印刷データ生成部３１、アイマーク印刷データ記憶部（記憶部）３２、アイマーク設定部３３および送信部３４を備える。アイマーク設定部３３は、設定入力部（入力部）３５、および、合成印刷データ生成部３６を備える。
【００２４】
印刷データ生成部３１は、アプリケーションデータに基づいて、ロール紙プリンター１２を駆動制御する印刷データを生成する。印刷データは、長尺状の記録紙８に対して単位印刷領域Ｄを繰り返し設定し、各単位印刷領域Ｄに値札５を印刷するものである。印刷データ生成部３１は、制御部２５のＲＡＭに単位印刷領域Ｄに対応する第１ページメモリー領域４１を確保する。そして、この第１ページメモリー領域４１にアプリケーションデータを逐次に展開して印刷データを生成する。
【００２５】
アイマーク印刷データ記憶部３２は、複数種類のアイマーク６を印刷するための複数種類のアイマーク印刷データを、アイマーク６の種類名と関連付けた形態で記憶保持する。アイマーク６としては、記録紙８の幅方向に延びる長方形のもの、トンボと呼ばれる鉤形或いは十字形のものなどがある。
【００２６】
設定入力部３５は、ディスプレイ１４に図３に示す設定入力画面４３を表示して、アイマーク６の種類を設定する種類情報、アイマーク６の色を設定する色指定情報、単位印刷領域Ｄにおけるアイマーク６の印刷位置を設定する座標情報（印刷位置情報）の入力を受け付ける。設定入力画面４３は、アイマーク６の種類情報を入力するためのプルダウンメニュー４５、アイマーク６の色指定情報を入力するためのプルダウンメニュー４６、アイマーク６の印刷位置のＸ座標を入力するためのＸ座標入力欄４７およびＹ座標を入力するためのＹ座標入力欄４８を備える。また、設定入力画面４３は、印刷プレビュー画像を表示するための印刷プレビュー表示領域４９を備える。
【００２７】
ここで、設定入力部３５は、色指定アイマーク印刷データ生成部５１と、プレビュー表示部５２を備える。
【００２８】
色指定アイマーク印刷データ生成部５１は、設定入力画面４３を介して入力された種類情報に基づいてアイマーク印刷データ記憶部３２に記憶保持された複数のアイマーク印刷データから一つのアイマーク印刷データを選択する。また、色指定アイマーク印刷データ生成部５１は、入力された色指定情報に基づいて選択したアイマーク印刷データにおける色の属性を設定し直した色指定アイマーク印刷データを生成する。そして、色指定アイマーク印刷データ生成部５１は、生成した色指定アイマーク印刷データを印刷に用いるアイマーク印刷データに設定する。
【００２９】
プレビュー表示部５２は、制御部２５のＲＡＭに単位印刷領域Ｄに対応する第２ページメモリー領域５３を確保する。そして、プレビュー表示部５２は、設定入力画面４３を介して入力された座標情報に基づいて印刷に用いるアイマーク印刷データとされた色指定アイマーク印刷データを第２ページメモリー領域５３に展開する。さらに、プレビュー表示部５２は、第１ページメモリー領域４１に展開されたアプリケーションデータ（単位印刷領域Ｄ分の印刷データ）と、第２ページメモリー領域５３に展開されたアイマーク印刷データを重ね合わせて印刷プレビュー画像として印刷プレビュー表示領域４９に表示する。ここで、プレビュー表示部５２は、アイマーク６の種類情報、色指定情報および座標情報のいずれかが変更される毎に、新たな印刷プレビュー画像を生成して、印刷プレビュー表示領域４９に表示する。
【００３０】
合成印刷データ生成部３６は、色指定アイマーク印刷データ生成部５１と、印刷データ合成部５４を備える。
【００３１】
色指定アイマーク印刷データ生成部５１は設定入力部３５の色指定アイマーク印刷データ生成部５１と兼用されている。色指定アイマーク印刷データ生成部５１は、設定入力画面４３のＯＫボタン５０がクリックされると、入力された種類情報および色指定情報に基づいて色指定アイマーク印刷データを生成する。また、生成した色指定アイマーク印刷データを印刷に用いるアイマーク印刷データに設定する。
【００３２】
印刷データ合成部５４は、色指定アイマーク印刷データが印刷に用いるアイマーク印刷データに設定されると、このアイマーク印刷データと印刷データを座標情報に基づいて合成した合成印刷データを生成する。合成印刷データは、長尺状のラベル用紙３に繰り返し設定された各単位印刷領域Ｄに値札５とアイマーク６を印刷するものである。また、合成印刷データは、各単位印刷領域Ｄの座標情報で規定される位置にアイマーク６を印刷するものである。
【００３３】
送信部３４は、合成印刷データをロール紙プリンター１２に送信する。ロール紙プリンター１２は合成印刷データによって駆動制御される。
【００３４】
（印刷処理動作）
図４を参照して印刷システム１の印刷処理動作を説明する。図４はホスト装置１１における印刷設定動作のフローチャートである。なお、以下の説明では、アプリケーション動作部２７から出力されたアプリケーションデータをプリンタードライバー動作部２８が受け取っているものとする。
【００３５】
ラベル用紙３に値札５およびアイマーク６を印刷する際には、オペレーターはディスプレイ１４に設定入力画面４３を表示させる操作を行う。これにより、設定入力部３５はディスプレイ１４に設定入力画面４３を表示する。また、プレビュー表示部５２は、設定入力画面４３の印刷プレビュー表示領域４９に印刷プレビュー画像を表示する（ステップＳＴ１）。印刷プレビュー画像が最初に表示される場合には、アイマーク６の種類情報、色指定情報および座標情報は、それぞれがデフォルトの値とされる。
【００３６】
ここで、オペレーターは、印刷プレビュー画像を確認しながら、アイマーク６の種類情報、色指定情報、座標情報を入力する（ステップＳＴ２）。オペレーターが新たな値を入力すると、印刷プレビュー表示領域４９に表示される印刷プレビュー画像は更新される。
【００３７】
入力が終了してオペレーターが設定入力画面４３のＯＫボタン５０をクリックすると、合成印刷データ生成部３６（色指定アイマーク印刷データ生成部５１）は、種類情報および色指定情報に基づいて色指定アイマーク印刷データを生成し、この色指定アイマーク印刷データを印刷に用いるアイマーク印刷データに設定する（ステップＳＴ３）。また、合成印刷データ生成部３６の印刷データ合成部５４は、このアイマーク印刷データと印刷データとを座標情報に基づいて合成した合成印刷データを生成する（ステップＳＴ４）。その後、送信部３４は、生成された合成印刷データをロール紙プリンター１２に送信する（ステップＳＴ５）。
【００３８】
合成印刷データを受信したロール紙プリンター１２は、合成印刷データに基づいてラベル用紙３に印刷を行う。これにより、長尺状のラベル用紙３に繰り返し設定された各単位印刷領域Ｄに値札５とアイマーク６が印刷される。すなわち、ラベル用紙３には、値札５とアイマーク６がそれぞれ一定間隔で繰り返し印刷される。アイマーク６は各単位印刷領域Ｄにおいて座標情報で規定された位置に印刷される。
【００３９】
本例によれば、印刷データを印刷する際に、単位印刷領域Ｄ内の座標情報で規定される位置にアイマーク６を印刷できる。また、アイマーク６の印刷位置を変更する際に、印刷データ（アプリケーションデータ）には変更が加えられないので、印刷データ（アプリケーションデータ）を作り直す必要がない。従って、アイマーク６の印刷位置の変更が容易である。
【００４０】
また、アイマークを設定する際に、オペレーターは印刷プレビュー画像を確認しながらアイマーク６の種類情報、色指定情報、座標情報を入力できる。従って、アイマーク６の種類、色、印刷位置の設定や変更が容易である。さらに、アイマーク６の種類や色を変更できるので、アイマーク６として、後工程で使用される型抜き機が認識しやすいものを印刷できる。
【符号の説明】
【００４１】
１・・印刷システム、２・・ロール紙、３・・ラベル用紙、５・・値札、６・・アイマーク（マーク）、７・・台紙、８・・記録紙、１０・・値札シール、１１・・ホスト装置（印刷制御装置）、１２・・ロール紙プリンター、１３・・コンピューター、１４・・ディスプレイ、１５・・入力装置、１６・・キーボード、１７・・マウス、２１・・オペレーティングシステム、２２・・アプリケーションソフトウエア、２３・・プリンタードライバー、２５・・制御部、２６・・ＯＳ動作部、２７・・アプリケーション動作部、２８・・プリンタードライバー動作部、３１・・印刷データ生成部、３２・・アイマーク印刷データ記憶部（記憶部）、３３・・アイマーク設定部、３４・・送信部、３５・・設定入力部（入力部）、３６・・合成印刷データ生成部（生成部）、４１・・第１ページメモリー領域、４３・・設定入力画面、４５・・プルダウンメニュー、４６・・プルダウンメニュー、４７・・Ｘ座標入力欄、４８・・Ｙ座標入力欄、４９・・印刷プレビュー表示領域、５０・・ＯＫボタン、５１・・色指定アイマーク印刷データ生成部（色指定マーク印刷データ生成部）、５２・・プレビュー表示部、５３・・第２ページメモリー領域、５４・・印刷データ合成部、Ｄ・・単位印刷領域
【図１】
2016184267.tif 000003
【図２】
2016184267.tif 000004
【図３】
2016184267.tif 000005
【図４】
2016184267.tif 000006